(57)【要約】【課題】  個人情報や広告情報を有する非接触型ＩＣ媒体を、広告主側の負担で容易に作成することを可能にするとともに、時間や場所に制限されることなくその作成を可能にして、個人情報や広告情報の伝達を容易化する。【解決手段】  ＩＣリーダを備えたユーザの端末１０と、広告提供者側の端末３０と、ＩＣライタを備えたＩＣ書き込み用の端末４０と、非接触型ＩＣ媒体５０とを有する情報伝達システムであって、広告提供者側の端末３０が、広告情報をＩＣ書き込み用の端末４０に送信し、ＩＣ書き込み用の端末４０が、広告情報を非接触型ＩＣ媒体５０に書き込み、ユーザの端末６０が、非接触型ＩＣ媒体５０から広告情報を読み込んで、広告情報を記憶する情報伝達システム。【選択図】  図１
2005267514.tif 000002
【特許請求の範囲】
【請求項１】
ＩＣリーダを備えたユーザの端末と、広告提供者側の端末と、ＩＣライタを備えたＩＣ書き込み用の端末と、これらの端末を接続するネットワークと、非接触型ＩＣ媒体とを有する情報伝達システムであって、
前記広告提供者側の端末が、広告情報を前記ＩＣ書き込み用の端末に送信し、
前記ＩＣ書き込み用の端末が、前記広告情報を前記非接触型ＩＣ媒体に書き込み、
前記ユーザの端末が、前記非接触型ＩＣ媒体から前記広告情報を読み込んで、前記広告情報を入力する
ことを特徴とする情報伝達システム。
【請求項２】
前記ユーザの端末が、個人情報を前記広告提供者側の端末に送信し、
前記広告提供者側の端末が、受信した前記個人情報ごとに個人識別情報を生成して前記ユーザの端末に送信する
ことを特徴とする請求項１記載の情報伝達システム。
【請求項３】
前記ＩＣ書き込み用の端末が、前記個人識別情報を入力すると、前記個人識別情報を前記広告提供者側の端末に送信し、
前記広告提供者側の端末が、受信した前記個人識別情報に対応する前記個人情報と前記広告情報を前記ＩＣ書き込み用の端末に送信し、
前記ＩＣ書き込み用の端末が、前記個人情報と前記広告情報を前記非接触型ＩＣ媒体に書き込み、
その他のユーザの端末が、前記非接触型ＩＣ媒体から前記個人情報と前記広告情報を読み込んで入力する
ことを特徴とする請求項２記載の情報伝達システム。
【請求項４】
前記広告情報に、所定のシリアル番号と前記広告提供者側の端末により提供されるホームページのＵＲＬが含まれ、
前記ユーザの端末が、前記ＵＲＬにアクセスすると、
前記広告提供者側の端末が、前記シリアル番号と前記個人識別情報の要求を前記ユーザの端末に送信し、
前記ユーザの端末が、前記シリアル番号と前記個人識別情報を前記広告提供者側の端末に送信する
ことを特徴とする請求項２記載の情報伝達システム。
【請求項５】
ＩＣリーダを備えたユーザの端末と、広告提供者側の端末と、ＩＣライタを備えたＩＣ書き込み用の端末と、これらの端末を接続するネットワークと、非接触型ＩＣ媒体とを用いた情報伝達方法であって、
前記ユーザの端末が、個人情報を前記広告提供者側の端末に送信し、
前記広告提供者側の端末が、受信した前記個人情報ごとに個人識別情報を生成して前記ユーザの端末に送信し、
前記ＩＣ書き込み用の端末が、前記個人識別情報を入力すると、前記個人識別情報を前記広告提供者側の端末に送信し、
前記広告提供者側の端末が、受信した前記個人識別情報に対応する前記個人情報と広告情報を前記ＩＣ書き込み用の端末に送信し、
前記ＩＣ書き込み用の端末が、前記個人情報と前記広告情報を前記非接触型ＩＣ媒体に書き込み、
その他のユーザの端末が、前記非接触型ＩＣ媒体から前記個人情報と前記広告情報を読み込んで入力する
ことを特徴とする情報伝達方法。
【請求項６】
ＩＣリーダを備えたユーザの端末と、広告提供者側の端末と、ＩＣライタを備えたＩＣ書き込み用の端末と、これらの端末を接続するネットワークと、非接触型ＩＣ媒体とを用いた情報伝達方法であって、
前記ユーザの端末が、個人情報を前記広告提供者側の端末に送信し、
前記広告提供者側の端末が、受信した前記個人情報ごとに個人識別情報を生成して前記ユーザの端末に送信し、
前記広告提供者側の端末が、所定のシリアル番号と当該広告提供者側の端末により提供されるホームページのＵＲＬとを含む広告情報を前記ＩＣ書き込み用の端末に送信し、
前記ＩＣ書き込み用の端末が、前記広告情報を前記非接触型ＩＣ媒体に書き込み、
前記ユーザの端末が、前記非接触型ＩＣ媒体から前記広告情報を読み込んで、前記ＵＲＬにアクセスすると、
前記広告提供者側の端末が、前記シリアル番号と前記個人識別情報の要求を前記ユーザの端末に送信し、
前記ユーザの端末が、前記シリアル番号と前記個人識別情報を前記広告提供者側の端末に送信する
ことを特徴とする情報伝達方法。
【発明の詳細な説明】
【技術分野】
【０００１】
本発明は、非接触型ＩＣ媒体を利用して、個人情報や広告情報を伝達する情報伝達システム、及び情報伝達方法に関する。
【背景技術】
【０００２】
従来、個人情報などを伝達する方法としては、名刺などの紙媒体に個人情報を記載し、これを受け渡す方法が最も一般的である。
しかしながら、このような方法の場合、個人情報を電子化するためには、この個人情報をパーソナルコンピュータなどに手入力する必要があるという問題があった。また、名刺などに広告情報としてＵＲＬが印刷されている場合、このＵＲＬにアクセスするためには、同様にパーソナルコンピュータにＵＲＬを手入力する必要があり、煩雑であるという問題があった。
【０００３】
このような問題を解決可能な方法としては、例えば、特許文献１記載の方法を挙げることができる。この方法によれば、親密度に基づき更新される所定のルールに従って、電子化された相手の個人情報を受信することが可能となっている。しかしながら、この従来の方法によれば、相手の個人情報は、サーバのデータベースに格納されているため、サーバにアクセスする環境がない場所では、相手の個人情報が得られないという問題があった。
【０００４】
また、特許文献２記載の方法によれば、ＩＣチップに記憶された個人情報に基づき選択された広告情報を、そのＩＣチップに伝達することが可能となっている。しかしながら、この従来の方法では、ユーザの希望が反映されるため、広告主が配信を希望していないユーザに対しては広告が配信されず、また、広告情報がサーバに保有されているため、サーバにアクセスする環境がない場所では、広告情報の伝達ができないという問題があった。
【０００５】
さらに、特許文献３記載の方法によれば、ＩＣカードに記憶された個人情報に基づいて、携帯端末にユーザの現在位置に関係がある広告情報等を伝達することが可能となっている。しかしながら、この従来の方法では、広告情報を得るために自動改札機を利用しなければならず、また、広告情報がサーバに保有されているため、サーバにアクセスする環境がない場所では、広告情報の伝達ができないという問題があった。
【０００６】
一方、特許文献４には、名刺を紙媒体でなく、ＩＣカードなどの電子媒体とし、これに個人情報や広告情報を記憶させて受け渡しを行うことにより、名刺情報の簡便な管理を可能にするとともに、相手に各種のサービスやＰＲ情報の提供を可能にする名刺管理システム等が提案されている。
このシステム等によれば、従来の紙の名刺に代えて名刺情報を記録した記録媒体を名刺として用いることができるため、個人情報を取得するためにサーバを必要とせず、特許文献１〜３における上述のような問題を解決することができるものとなっている。
【０００７】
【特許文献１】特開２００２−１０９０２５号公報
【特許文献２】特開２００２−０４９６４０号公報
【特許文献３】特開２００３−２１６０８１号公報
【特許文献４】特開２００２−２８８６０７号公報
【発明の開示】
【発明が解決しようとする課題】
【０００８】
しかしながら、名刺を紙媒体でなく、ＩＣカードなどの電子媒体とする場合、名刺のコストが大きく増加することとなる。このため、このような事情を考慮して、電子化された個人情報や広告情報を効率的に伝達可能とすることが望ましい。
本発明は、上記の事情にかんがみなされたものであり、個人情報や広告情報を有する非接触型ＩＣ媒体を、広告主側の負担で容易に作成することを可能にするとともに、時間や場所に制限されることなくその作成を可能にして、個人情報や広告情報の伝達を容易化する情報伝達システム、及び情報伝達方法の提供を目的とする。
【課題を解決するための手段】
【０００９】
上記目的を達成するため、本発明の情報伝達システムは、ＩＣリーダを備えたユーザの端末と、広告提供者側の端末と、ＩＣライタを備えたＩＣ書き込み用の端末と、これらの端末を接続するネットワークと、非接触型ＩＣ媒体とを有する情報伝達システムであって、広告提供者側の端末が、広告情報をＩＣ書き込み用の端末に送信し、ＩＣ書き込み用の端末が、広告情報を非接触型ＩＣ媒体に書き込み、ユーザの端末が、非接触型ＩＣ媒体から広告情報を読み込んで、広告情報を入力する構成としてある。
【００１０】
情報伝達システムをこのような構成にすれば、広告提供者側の端末は、広告情報をＩＣ書き込み用の端末に送信することによって、このＩＣ書き込み用の端末により広告情報の書き込まれた非接触型ＩＣ媒体を作成することができる。そして、ユーザの端末が、作成された非接触型ＩＣ媒体を読み込むことにより、その広告情報をユーザの端末に記憶させることができる。
このため、その広告効果を目的として、広告提供者側が、非接触型ＩＣ媒体の作成に必要な費用を負担することができ、ユーザは、そのコストを意識せずに非接触型ＩＣ媒体を利用することが可能となる。
【００１１】
また、本発明の情報伝達システムは、ユーザの端末が、個人情報を広告提供者側の端末に送信し、広告提供者側の端末が、受信した個人情報ごとに個人識別情報を生成してユーザの端末に送信する構成としてある。
情報伝達システムをこのような構成にすれば、広告提供者側の端末に、ユーザの個人情報ごとに対応付けられた個人識別情報を保有させることができるとともに、この個人識別情報をユーザと共有化することができる。
このため、広告提供者側の端末は、この個人識別情報を用いて容易に個人情報を特定することが可能となる。
【００１２】
また、本発明の情報伝達システムは、ＩＣ書き込み用の端末が、個人識別情報を入力すると、個人識別情報を広告提供者側の端末に送信し、広告提供者側の端末が、受信した個人識別情報に対応する個人情報と広告情報をＩＣ書き込み用の端末に送信し、ＩＣ書き込み用の端末が、個人情報と広告情報を非接触型ＩＣ媒体に書き込み、その他のユーザの端末が、非接触型ＩＣ媒体から個人情報と広告情報を読み込んで入力する構成としてある。
【００１３】
情報伝達システムをこのような構成にすれば、ユーザは、無料又はわずかな費用で個人情報を交換するための非接触型ＩＣ媒体を入手することが可能となる。
すなわち、広告提供者側は、非接触型ＩＣ媒体に、個人情報とともに広告情報を記録して配布することができるため、広告目的で非接触型ＩＣ媒体費用を負担することが可能となる。
また、このような非接触型ＩＣ媒体を用いて個人情報の交換を行うことにより、ユーザの端末はこの非接触型ＩＣ媒体からＩＣリーダにより個人情報を読み込んで、所定の設定箇所に自動的に登録することができる。このため、ユーザによる個人情報を手入力する手間を省くことが可能となる。
【００１４】
さらに、情報伝達システムをこのような構成にすれば、非接触型ＩＣ媒体を発行するＩＣ書き込み用の端末を、例えば自動販売機のように設置したり、コンビニエンスストア内に設置したりすることができる。このため、非接触型ＩＣ媒体を２４時間、いつでも、どこでも入手できるようにすることが可能となる。
また、このようにして発行した非接触型ＩＣ媒体を用いて個人情報の交換を行うことにより、個人情報の伝達にあたってネットワークを介してサーバなどから個人情報を取得する必要がないため、ネットワークにアクセスできない環境でも、個人情報の交換を行うことが可能となる。
【００１５】
また、本発明の情報伝達システムは、広告情報に、所定のシリアル番号と広告提供者側の端末により提供されるホームページのＵＲＬが含まれ、ユーザの端末が、ＵＲＬにアクセスすると、広告提供者側の端末が、シリアル番号と個人識別情報の要求をユーザの端末に送信し、ユーザの端末が、シリアル番号と個人識別情報を広告提供者側の端末に送信する構成としてある。
【００１６】
情報伝達システムをこのような構成にすれば、プレゼントの提供情報を備えた広告情報を保有する非接触型ＩＣ媒体を商品に貼付し、この商品を購入したユーザの端末が、非接触型ＩＣ媒体から広告情報を読み込んで、この広告情報に含まれるＵＲＬにアクセスすることができる。
そして、ユーザの端末は、ＵＲＬのアクセスに対して広告提供者側の端末から要求されたシリアル番号と個人識別情報を、自動的に広告提供者側の端末に送信することができる。
このため、ユーザは、容易にプレゼントの応募などを行うことができ、広告提供者側の端末は、受信したシリアル番号によりプレゼントを自動的に特定するとともに、個人識別情報により個人情報を自動的に特定することができ、広告提供者側は、容易にプレゼントの提供及びそれに伴う広告の提供を行うことが可能となる。
【００１７】
また、本発明の情報伝達方法は、ＩＣリーダを備えたユーザの端末と、広告提供者側の端末と、ＩＣライタを備えたＩＣ書き込み用の端末と、これらの端末を接続するネットワークと、非接触型ＩＣ媒体とを用いた情報伝達方法であって、ユーザの端末が、個人情報を広告提供者側の端末に送信し、広告提供者側の端末が、受信した個人情報ごとに個人識別情報を生成してユーザの端末に送信し、ＩＣ書き込み用の端末が、個人識別情報を入力すると、個人識別情報を広告提供者側の端末に送信し、広告提供者側の端末が、受信した個人識別情報に対応する個人情報と広告情報をＩＣ書き込み用の端末に送信し、ＩＣ書き込み用の端末が、個人情報と広告情報を非接触型ＩＣ媒体に書き込み、その他のユーザの端末が、非接触型ＩＣ媒体から個人情報と広告情報を読み込んで入力する方法としてある。
【００１８】
情報伝達システムをこのような方法にすれば、ユーザは、無料又はわずかな費用で個人情報を交換するための非接触型ＩＣ媒体を入手することができ、また、この非接触型ＩＣ媒体から個人情報をユーザの端末に読み込むことにより、個人情報を手入力する手間を省くことが可能となる。
さらに、非接触型ＩＣ媒体を発行するＩＣ書き込み用の端末を、例えば自動販売機のように設置したり、コンビニエンスストア内に設置したりすることができるため、非接触型ＩＣ媒体を２４時間、いつでも、どこでも入手できるようにすることが可能となる。
そして、この非接触型ＩＣ媒体を用いて個人情報の交換を行うことにより、ネットワークにアクセスできない環境でも、個人情報の交換を行うことが可能となる。
【００１９】
また、本発明の情報伝達方法は、ＩＣリーダを備えたユーザの端末と、広告提供者側の端末と、ＩＣライタを備えたＩＣ書き込み用の端末と、これらの端末を接続するネットワークと、非接触型ＩＣ媒体とを用いた情報伝達方法であって、ユーザの端末が、個人情報を広告提供者側の端末に送信し、広告提供者側の端末が、受信した個人情報ごとに個人識別情報を生成してユーザの端末に送信し、広告提供者側の端末が、所定のシリアル番号と当該広告提供者側の端末により提供されるホームページのＵＲＬとを含む広告情報をＩＣ書き込み用の端末に送信し、ＩＣ書き込み用の端末が、広告情報を非接触型ＩＣ媒体に書き込み、ユーザの端末が、非接触型ＩＣ媒体から広告情報を読み込んで、ＵＲＬにアクセスすると、広告提供者側の端末が、シリアル番号と個人識別情報の要求をユーザの端末に送信し、ユーザの端末が、シリアル番号と個人識別情報を広告提供者側の端末に送信する方法としてある。
【００２０】
情報伝達システムをこのような方法にすれば、ユーザの端末は、商品に貼付された非接触型ＩＣ媒体からシリアル番号とＵＲＬを読み込み、このＵＲＬにアクセスして、シリアル番号と個人識別情報を広告提供者側の端末に送信することによって、容易にプレゼントの応募などを行うことができる。
また、広告提供者側の端末は、受信したシリアル番号によりプレゼントを自動的に特定するとともに、個人識別情報により個人情報を自動的に特定することができ、広告提供者側は、容易にプレゼントの提供及びそれに伴う広告の提供を行うことが可能となる。
【発明の効果】
【００２１】
本発明によれば、個人情報や広告情報を有する非接触型ＩＣ媒体を、広告主側の負担で容易に作成することができるとともに、時間や場所に制限されることなくその作成を可能にして、個人情報や広告情報の伝達を容易化することができる。
すなわち、ユーザは、無料などで個人情報を交換するための非接触型ＩＣ媒体を入手できるとともに、この非接触型ＩＣ媒体を用いて、ユーザの端末に、個人情報を手入力することなく、登録することが可能となる。このため、広告情報を広まりやすくすることが可能となる。
また、非接触型ＩＣ媒体を２４時間、いつでも、どこでも入手することを可能とすることができ、この非接触型ＩＣ媒体を用いることにより、ネットワークにアクセスできない環境でも、情報を伝達することが可能となる。
【００２２】
さらに、ユーザの端末は、商品に貼付された非接触型ＩＣ媒体からシリアル番号とＵＲＬを読み込み、このＵＲＬにアクセスして、シリアル番号と個人識別情報を広告提供者側の端末に送信することによって、容易にプレゼントの応募などを行うことができる。
また、広告提供者側の端末は、受信したシリアル番号によりプレゼントを自動的に特定するとともに、個人識別情報により個人情報を自動的に特定することができ、広告提供者側は、容易にプレゼントの提供及びそれに伴う広告の提供を行うことが可能となる。
【発明を実施するための最良の形態】
【００２３】
以下、本発明に係る情報伝達システムの好ましい実施形態について、図面を参照しつつ説明する。
なお、以下の実施形態に示す本発明の情報伝達システムは、プログラムに制御されたコンピュータにより動作するようになっている。プログラムは、コンピュータの各構成要素に指令を送り、広告代理店の端末や広告主の端末の動作に必要となる所定の処理、例えば、個人識別情報の生成処理や各種識別情報の照合処理等を行わせる。このように、本発明の情報伝達システムにおける各処理，動作は、プログラムとコンピュータとが協働した具体的手段により実現できるものである。
【００２４】
プログラムは予めＲＯＭ，ＲＡＭ等の記録媒体に格納され、コンピュータに実装された記録媒体から当該コンピュータにプログラムを読み込ませて実行されるが、例えば通信回線を介してコンピュータに読み込ませることもできる。
また、プログラムを格納する記録媒体は、例えば半導体メモリ，磁気ディスク，光ディスク、その他任意のコンピュータで読取り可能な任意の記録手段により構成できる。
［第一実施形態］
まず、本発明の第一実施形態の構成について、図１及び図２を参照して説明する。図１は、本実施形態の情報伝達システムの構成を示すブロック図である。図２は、同システムにおける広告代理店の端末の構成を示すブロック図である。
【００２５】
図１に示すように、本実施形態の情報伝達システムは、ユーザの端末１０，広告主の端末２０，広告代理店の端末３０，カード発券所の端末４０，非接触型ＩＣカード５０，ユーザの端末６０，ネットワーク７０を有している。
ユーザの端末１０は、ユーザが使用する端末であり、例えば、パーソナルコンピュータや、携帯電話機、ＰＨＳ、ＰＤＡ等とすることができる。
【００２６】
ユーザの端末１０は、広告代理店の端末３０が提供している個人情報登録画面にネットワーク７０を介してアクセスし、この個人情報登録画面を表示する。
そして、ユーザの端末１０は、ユーザの操作により、この個人情報登録画面に個人情報を入力して、ネットワーク７０を介して個人情報を広告代理店の端末３０に送信する。この個人情報としては、例えば、名前、住所、電話番号、電子メールアドレスなどの個人に関する情報を含むものとすることができる。
【００２７】
ユーザの端末１０は、図１に示すように、ＩＣリーダ１１を備えている。このＩＣリーダ１１は、非接触型ＩＣカード５０に記憶されている個人情報と広告情報を読み取って、ユーザの端末１０に入力するものである。この広告情報としては、広告主が提供するホームページのＵＲＬなどの、広告に関する情報を含むものとすることができる。
そして、ユーザの端末１０は、入力した情報を、それぞれ所定の箇所に設定する。この所定の箇所とは、例えば、ウェッブブラウザのブックマーク、電話帳、電子メールアドレス帳等とすることができる。
【００２８】
なお、ＩＣリーダ１１は、内蔵されていても、外部に接続されていてもかまわない。
また、ユーザの端末６０及びＩＣリーダ６１についても、ユーザの端末１０及びＩＣリーダ１１と同様のものとすることができる。
さらに、図１において、ユーザの端末は、２台のみ表示しているが、本実施形態の情報伝達システムにおいて、より多くのユーザの端末を保有させる構成とすることも勿論可能である。
【００２９】
広告主の端末２０は、広告提供者側の端末であり、広告主が使用するものである。この広告主の端末２０としては、例えば、ワークステーション、サーバ、パーソナルコンピュータ等の情報処理端末とすることができる。
この広告主の端末２０は、広告代理店の端末３０によって、契約している広告主のみに提供される広告情報登録画面にアクセスし、広告情報登録画面を表示する。
また、広告主の端末２０は、広告主の操作により、この広告情報登録画面から入力した広告情報を、ネットワーク７０を介して、広告代理店の端末３０に送信する。
【００３０】
広告代理店の端末３０は、広告提供者側の端末であり、広告代理店が使用するものである。この広告代理店の端末３０としては、例えば、ワークステーション、サーバ、パーソナルコンピュータ等の情報処理端末とすることができる。
この広告代理店の端末３０は、図２に示すように、個人情報要求部３１，個人識別情報生成部３２，広告情報要求部３３，識別情報照合部３４，個人情報・広告情報送信部３５，個人情報記憶部３６，広告情報記憶部３７を有している。
【００３１】
個人情報要求部３１は、ユーザの端末１０からのネットワーク７０を介するアクセスに対して、ユーザ端末１０に、個人情報を登録するための画面情報を送信することにより、個人情報登録要求を送信し、受信した個人情報を、ユーザごとに個人情報記憶部３６に記憶する。
【００３２】
個人識別情報生成部３２は、ユーザの端末１０から受信した個人情報ごとに個人識別情報を生成して、この個人識別情報をユーザごとに個人情報記憶部３６に記憶する。そして、個人識別情報生成部３２は、生成した個人識別情報を、対応するユーザの端末１０に送信する。
この個人識別情報とは、各ユーザの個人情報を一意に識別するための情報であり、あるユーザの個人情報を他のユーザの個人情報と識別するために利用されるものである。
広告情報要求部３３は、広告主の端末２０からのネットワーク７０を介するアクセスに対して、広告主の端末２０に、ＩＤとパスワードを入力するための画面情報を送信することにより、ＩＤとパスワードの入力要求を送信する。
【００３３】
識別情報照合部３４は、広告主の端末２０からＩＤとパスワードが送信されてくると、このＩＤとパスワードが、予めその広告主のものとして広告情報記憶部３７に登録されているＩＤとパスワードと一致するかどうかを照合する。
そして、ＩＤとパスワードが一致した場合、広告情報要求部３３は、広告主の端末２０に、広告情報を登録するための画面情報を送信することにより、広告情報登録要求を送信し、受信した広告情報を広告主ごとに広告情報記憶部３７に記憶する。
また、識別情報照合部３４は、カード発券所の端末４０から受信した個人識別情報が個人情報記憶部３６に記憶されているかどうかを照合し、記憶されている場合は、一致した個人識別情報に対応する個人情報を個人情報記憶部３６から取得する。
【００３４】
個人情報・広告情報送信部３５は、この取得した個人情報を、広告情報とともに、カード発券所の端末４０に送信する。このとき、送信される広告情報の選択基準は、特に限定されるものではなく、例えばランダム、あるいは登録順に順次選択することなどが可能である。
個人情報記憶部３６は、ユーザごとの個人情報及び個人識別情報を記憶する。
広告情報記憶部３７は、広告主ごとのＩＤとパスワード、及び広告情報を記憶する。
【００３５】
カード発券所の端末４０は、ＩＣ書き込み用の端末であり、例えば、ワークステーション、サーバ、パーソナルコンピュータ等の情報処理端末とすることができる。また、このカード発券所の端末４０は、例えば自動販売機のように設置したり、コンビニエンスストア内に設置したりすることができる。
このカード発券所の端末４０は、図１に示すように、ＩＣライタ４１を備えている。
カード発券所の端末４０は、ユーザの操作により個人識別情報を入力し、この個人識別情報を広告代理店の端末３０に送信する。そして、広告代理店の端末３０から個人識別情報に対応する個人情報と広告情報を受信し、この個人情報と広告情報をＩＣライタ４１により非接触型ＩＣカード５０に書き込む。このようにして、カード発券所の端末４０は、非接触型ＩＣカード５０をユーザに発行する。
【００３６】
非接触型ＩＣカード５０は、非接触型ＩＣ媒体の一種であり、非接触型ＩＣが搭載されたカードである。
この非接触型ＩＣカード５０は、カード発券所の端末４０で書き込まれた個人情報と広告情報を記憶し、ユーザの端末１０やユーザの端末６０のＩＣリーダにかざすことにより、この書き込まれている個人情報と広告情報をユーザの端末１０やユーザの端末６０へ出力することができる。
【００３７】
ネットワーク７０は、従来公知の任意好適な公衆回線、商業回線又は専用回線を用いることができる。また、ユーザの端末１０，広告主の端末２０，広告代理店の端末３０，カード発券所の端末４０，ユーザの端末６０のそれぞれの間においては、同一又は別個の通信回線で構成することができる。
さらに、ネットワーク７０は、ユーザの端末１０，広告主の端末２０，広告代理店の端末３０，カード発券所の端末４０，ユーザの端末６０のそれぞれの間を、無線あるいは有線で接続可能な回線であり、例えば、公衆回線網、専用回線網、インターネット回線網及びイントラネット網により構成することができる。
【００３８】
次に、本実施形態の情報伝達システムにおける処理手順について、図３を参照して説明する。同図は、本実施形態の情報伝達システムにおける処理手順を示す動作手順図である。
まず、ユーザの端末１０は、ユーザの操作により広告代理店の開設するホームページにアクセスする（ステップＡ１）。これに対して、広告代理店の端末３０は、ユーザの端末１０に、個人情報登録画面情報を送信することにより、個人情報の登録要求を送信する（ステップＡ２）。
【００３９】
ユーザの端末１０は、受信した画面情報にもとづき個人情報登録画面を表示して、ユーザの操作により、ユーザの個人情報である名前、住所、電話番号、電子メールアドレスなどを入力して、この個人情報を広告代理店の端末３０に送信する（ステップＡ３）。
広告代理店の端末３０は、個人情報を受信すると、この個人情報ごとに個人識別情報を生成し（ステップＡ４）、生成した個人識別情報をユーザの端末１０に送信する（ステップＡ５）。
【００４０】
次に、広告主の端末２０は、広告主の操作により、広告代理店の開設するホームページにアクセスする（ステップＡ６）。これに対して、広告代理店の端末３０は、広告主の端末２０に、ＩＤとパスワードを入力する画面情報を送信することにより、ＩＤとパスワードの入力要求を送信する（ステップＡ７）。
広告主の端末２０は、受信した画面情報にもとづきＩＤとパスワードを入力する画面を表示して、広告主の操作により、ＩＤとパスワードを入力し、このＩＤとパスワードを広告代理店の端末３０に送信する（ステップＡ８）。
【００４１】
広告代理店の端末３０は、契約にあたり広告主に発行したＩＤとパスワードを、記予め憶している。そして、広告主の端末２０からＩＤとパスワードを受信すると、これらを広告主に発行したＩＤとパスワードと照合する（ステップＡ９）。
次に、広告代理店の端末３０は、ＩＤとパスワードがそれぞれ一致すると、広告主の端末２０に、広告情報を入力する画面（広告情報登録画面）情報を送信することにより、広告情報の登録要求を送信する（ステップＡ１０）。
広告主の端末２０は、受信した画面情報にもとづき広告情報登録画面を表示して、広告主の操作により、広告情報であるＵＲＬなどを入力し、広告代理店の端末３０に、広告情報を送信する（ステップＡ１１）。
【００４２】
次に、ユーザは、例えばコンビニエンスストアなどに設置されているカード発券所の端末４０に、個人識別情報を入力して（ステップＡ１２）、この個人識別情報を広告代理店の端末３０に送信する（ステップＡ１３）。
広告代理店の端末３０は、カード発券所の端末４０から受信した個人識別情報と、広告代理店の端末３０で生成した個人識別情報を照合して（ステップＡ１４）、一致した個人識別情報に対応する個人情報を、広告情報とともに、カード発券所の端末４０に送信する（ステップＡ１５）。
【００４３】
カード発券所の端末４０は、広告代理店の端末３０から、個人情報と広告情報を受信すると、非接触型ＩＣカード５０に、ＩＣライタ４１によって個人情報と広告情報を書き込み（ステップＡ１６）、非接触型ＩＣカード５０を、ユーザに発行する。
次に、ユーザの端末６０は、ＩＣリーダ６１により非接触型ＩＣカード５０から個人情報と広告情報を読み込んで（ステップＡ１７）、これをユーザの端末６０における所定の設定箇所、例えば、個人情報をウェッブブラウザのブックマーク、電話帳、電子メールアドレス帳などに、広告情報をウェッブブラウザのブックマークなどに自動的に登録する（ステップＡ１８）。
【００４４】
以上説明したように、本実施形態の情報伝達システムによれば、ユーザは、無料などで個人情報を交換するための非接触型ＩＣ媒体を入手できるとともに、この非接触型ＩＣ媒体を用いて、ユーザの端末に、個人情報を手入力することなく、登録することが可能となる。このため、広告情報を広まりやすくすることが可能となる。
また、非接触型ＩＣ媒体を２４時間、いつでも、どこでも入手することを可能とすることができ、この非接触型ＩＣ媒体を用いることにより、ネットワークにアクセスできない環境でも、情報を伝達することが可能となる。
【００４５】
［第二実施形態］
次に、本発明の第二実施形態について、図４及び図５を参照して説明する。図４は、本実施形態の情報伝達システムの構成を示すブロック図である。図５は、同システムにおける広告主の端末の構成を示すブロック図である。
本実施形態は、広告提供者側の端末から送信される広告情報をＩＣ書き込み用の端末に送信して、非接触型ＩＣ媒体に書き込み、これをユーザの端末に読み込ませる点で第一実施形態に共通するが、この非接触型ＩＣ媒体を商品に貼付しておき、非接触型ＩＣ媒体から読み込まれた広告情報にもとづき自動的にプレゼントへの応募を行う点で第一実施形態と異なっている。
【００４６】
本実施形態の情報伝達システムは、図４に示すように、ユーザの端末１１０，広告主の端末１２０，タグ発券所の端末１３０，非接触型ＩＣタグ１４０，ネットワーク１５０を有している。
ユーザの端末１１０は、ユーザが使用する端末であり、例えば、パーソナルコンピュータや、携帯電話機、ＰＨＳ、ＰＤＡ等とすることができる。また、ユーザの端末１１０は、広告主の端末１２０が提供している個人情報登録画面にネットワーク１５０を介してアクセスし、この個人情報登録画面を表示する。そして、ユーザの端末１１０は、ユーザの操作により、この個人情報登録画面に個人情報を入力して、ネットワーク１５０を介して個人情報を広告主の端末１２０に送信する。
【００４７】
また、ユーザの端末１１０は、図４に示すように、ＩＣリーダ１１１を備えている。このＩＣリーダ１１１は、非接触型ＩＣタグ１４０に記憶されている広告情報を読み取って、ユーザの端末１１０に入力する。そして、ユーザの端末１１０は、入力した情報を、それぞれ所定の箇所に設定する。
その他の点については、ユーザの端末１１０は、第一実施形態におけるユーザの端末１０，６０と同様のものとすることができる。
【００４８】
広告主の端末１２０は、広告提供者側の端末であり、広告主が使用するものである。この広告主の端末１２０としては、例えば、ワークステーション、サーバ、パーソナルコンピュータ等の情報処理端末とすることができる。
この広告主の端末１２０は、図５に示すように、個人情報要求部１２１，個人識別情報生成部１２２，プレゼント情報送信部１２３，識別情報要求部１２４，識別情報照合部１２５、個人情報記憶部１２６，プレゼント情報記憶部１２７を有している。
【００４９】
個人情報要求部１２１は、ユーザの端末１１０からのネットワーク１５０を介するアクセスに対して、ユーザの端末１１０に、個人情報を登録するための画面情報を送信することにより、個人情報登録要求を送信し、受信した個人情報を、ユーザごとに個人情報記憶部１２６に記憶する。
個人識別情報生成部１２２は、ユーザの端末１１０から受信した個人情報ごとに個人識別情報を生成して、この個人識別情報をユーザごとに個人情報記憶部１２６に記憶する。そして、個人識別情報生成部１２２は、生成した個人識別情報を、対応するユーザの端末１１０に送信する。
【００５０】
プレゼント情報送信部１２３は、広告情報としてのプレゼント情報をタグ発券所の端末１３０に送信する。この送信タイミングとしては、図６に示すタイミングに限定されるものではなく、タグ発券所の端末１３０により書き込みが行われる前であればいつでもかまわない。
プレゼント情報とは、プレゼントの応募を行うための情報であり、プレゼント応募用ホームページのＵＲＬと、プレゼントを特定するためのシリアル番号を有するものとすることができる。また、このＵＲＬは、広告主の端末１２０により提供されるホームページのアドレスを示すものとすることができる。
【００５１】
識別情報要求部１２４は、ユーザの端末１１０からのプレゼント応募用ホームページのＵＲＬへのアクセスに対して、ユーザの端末１１０に、シリアル番号と個人識別情報の入力画面情報を送信することにより、シリアル番号と個人識別情報の入力要求を送信する。
識別情報照合部１２５は、ユーザの端末１１０から受信したシリアル番号と個人識別情報を、予め個人情報記憶部１２６に登録されているシリアル番号及び個人識別情報と照合して、プレゼントの対象とする商品及び個人を特定する。
【００５２】
個人情報記憶部１２６は、ユーザごとの個人情報及び個人識別情報を記憶する。
プレゼント情報記憶部１２７は、プレゼント応募用ホームページのＵＲＬと、プレゼントを特定するためのシリアル番号、及びシリアル番号ごとのプレゼントの情報を記憶する。
【００５３】
タグ発券所の端末１３０は、ＩＣ書き込み用の端末であり、例えば、ワークステーション、サーバ、パーソナルコンピュータ等の情報処理端末とすることができる。このタグ発券所の端末１３０は、図４に示すように、ＩＣライタ１３１を備えている。
タグ発券所の端末１３０は、広告主の端末１２０から受信したプレゼント情報を、商品に貼付するための非接触型ＩＣタグ１４０に書き込むものである。
【００５４】
非接触型ＩＣタグ１４０は、非接触型ＩＣ媒体の一種であり、非接触型ＩＣが搭載されたタグである。この非接触型ＩＣタグ１４０は、タグ発券所の端末１３０で書き込まれたプレゼント情報を記憶し、このプレゼント情報をユーザの端末１１０に送信する。
また、ネットワーク１５０については、ネットワーク７０と同様のものとすることができる。
【００５５】
次に、本実施形態のテンプレートシステムにおける処理手順について、図６を参照して説明する。
同図は、本実施形態のテンプレートシステムにおける処理手順を示す動作手順図である。なお、同図において、点線で表示されている部分は、人手にて行われる部分である。
【００５６】
まず、ユーザの端末１１０は、ユーザの操作により、広告主の端末１２０にアクセスする（ステップＢ１）。これに対して、広告主の端末１２０は、ユーザの端末１１０に、個人情報登録画面情報を送信することにより、個人情報の登録要求を送信する（ステップＢ２）。
ユーザの端末１１０は、受信した画面情報にもとづき個人情報登録画面を表示して、ユーザの操作により、ユーザの個人情報である名前、住所、電話番号、電子メールアドレスなどを入力して、この個人情報を広告主の端末１２０に送信する（ステップＢ３）。
【００５７】
広告主の端末１２０は、個人情報を受信すると、この個人情報ごとに個人識別情報を生成し（ステップＢ４）、生成した個人識別情報をユーザの端末１１０に送信する（ステップＢ５）。
ユーザの端末１１０は、受信した個人識別情報をウェッブブラウザに設定する（ステップＢ６）。
【００５８】
また、広告主の端末１２０は、広告主の操作により、広告情報としてのプレゼント情報であるプレゼント応募用ホームページのＵＲＬとシリアル番号を、タグ発券所の端末１３０に送信する（ステップＢ７）。
次に、タグ発券所の端末１３０は、広告主の端末１２０から受信したプレゼント情報を、ＩＣライタ１３１によって、非接触型ＩＣタグ１４０に書き込む（ステップＢ８）。そして、このプレゼント情報が書き込まれた非接触型ＩＣタグ１３０を、プレゼント対象商品に貼付する（ステップＢ９）。
【００５９】
次に、ユーザは、プレゼント対象商品を購入する。そして、ユーザの端末１１０は、ユーザの操作により、商品に貼付されている非接触型ＩＣタグ１４０に書き込まれているプレゼント情報を、ＩＣリーダ１１１から読み込む（ステップＢ１０）。
ユーザの端末１１０は、読み込んだプレゼント情報におけるプレゼント応募用ホームページのＵＲＬをウェッブブラウザに設定する。（ステップＢ１１）。
そして、ユーザの端末１１０は、このＵＲＬにもとづいて、広告主のプレゼント用のホームページにアクセスする(ステップＢ１２)。
【００６０】
これに対して、広告主の端末１２０は、ユーザの端末１１０にシリアル番号と個人識別情報を入力するための画面情報を送信することにより、これらの入力要求を送信する（ステップＢ１３）。
ユーザの端末１１０は、受信した画面情報にもとづき当該画面を表示して、ユーザの操作により、シリアル番号と個人識別情報を入力し、これらの情報を広告主の端末１２０に送信する（ステップＢ１４）。
【００６１】
そして、広告主の端末１２０は、受信したシリアル番号と個人識別情報を、予め記憶しているシリアル番号及び個人識別情報と照合し（ステップＢ１５）、シリアル番号にもとづきプレゼントを特定するとともに、個人識別情報にもとづき個人情報を特定して、広告主は、ユーザに対してプレゼントを行うことが可能となる。
【００６２】
以上説明したように、本実施形態の情報伝達システムによれば、ユーザは、ユーザの端末によって、商品に貼付された非接触型ＩＣ媒体からシリアル番号とＵＲＬを読み込み、このＵＲＬにアクセスして、シリアル番号と個人識別情報を広告提供者側の端末に自動的に送信することにより、容易にプレゼントの応募などを行うことができる。
また、広告提供者側の端末は、受信したシリアル番号によりプレゼントを自動的に特定するとともに、個人識別情報により個人情報を自動的に特定することができ、広告提供者側は、容易にプレゼントの提供及びそれに伴う広告の提供を行うことが可能となる。
【００６３】
なお、本発明は以上の実施形態に限定されるものではなく、本発明の範囲内において、種々の変更実施が可能であることは言うまでもない。
例えば、第二実施形態において、広告主の端末１２０を広告代理店の端末として実施するなど適宜変更することが可能である。
【図面の簡単な説明】
【００６４】
【図１】本発明の第一実施形態の情報伝達システムの構成を示すブロック図である。
【図２】本発明の第一実施形態の情報伝達システムにおける広告代理店の端末の構成を示すブロック図である。
【図３】本発明の第一実施形態の情報伝達システムにおける処理手順を示す動作手順図である。
【図４】本発明の第二実施形態の情報伝達システムの構成を示すブロック図である。
【図５】本発明の第二実施形態の情報伝達システムにおける広告主の端末の構成を示すブロック図である。
【図６】本発明の第二実施形態の情報伝達システムにおける処理手順を示す動作手順図である。
【符号の説明】
【００６５】
１０  ユーザの端末
１１  ＩＣリーダ
２０  広告主の端末
３０  広告代理店の端末
３１  個人情報要求部
３２  個人識別情報生成部
３３  広告情報要求部
３４  識別情報照合部
３５  個人情報・広告情報送信部
３６  個人情報記憶部
３７  広告情報記憶部
４０  カード発券所の端末
４１  ＩＣライタ
５０  非接触型ＩＣカード
６０  ユーザの端末
６１  ＩＣリーダ
７０  ネットワーク
１１０  ユーザの端末
１１１  ＩＣリーダ
１２０  広告主の端末
１２１  個人情報要求部
１２２  個人識別情報生成部
１２３  プレゼント情報送信部
１２４  識別情報要求部
１２５  識別情報照合部
１２６  個人情報記憶部
１２７  プレゼント情報記憶部
１３０  タグ発券所の端末
１３１  ＩＣライタ
１４０  非接触型ＩＣタグ
１５０  ネットワーク
【図１】
2005267514.tif 000003
【図２】
2005267514.tif 000004
【図３】
2005267514.tif 000005
【図４】
2005267514.tif 000006
【図５】
2005267514.tif 000007
【図６】
2005267514.tif 000008